(57)【特許請求の範囲】
【請求項１】
判定対象となる原稿中に金属繊維がすき込まれているか否かを判定し，金属繊維がすき込まれていると判定された場合に，前記原稿が金属繊維のすき込まれた紙幣・有価証券等の特殊原稿であると判定する特殊原稿判定方法において，
前記原稿から画像データの読み取り指示を受けた場合に，前記画像データの読み取りの前に前記原稿のプリスキャンを行うプリスキャン工程を，含み，
前記プリスキャン工程は，
前記原稿を磁化する第１の工程と，
前記磁化された原稿を走査し，前記原稿の磁気レベルを測定する第２の工程と，
前記第２の工程で測定した磁気レベルと予め設定された閾値とを比較することにより，
前記原稿中に金属繊維がすき込まれているか否かを判定する第３の工程と，
前記第３の工程の判定結果に基づいて，前記原稿が前記特殊原稿であるか否かを判定する第４の工程と，
前記第１の工程で磁化された原稿を消磁する第５の工程と，を含むことを特徴とする特殊原稿判定方法。
【請求項２】
前記第２の工程が，前記原稿の磁気レベルを測定する際に，前記原稿を走査しつつ，前記原稿の磁気レベルを所定の間隔を置いて測定することにより，前記原稿の磁気レベルを測定し，
前記第３の工程が，前記第２の工程で測定した磁気レベルと前記閾値とを比較する際に，前記第２の工程で前記所定の間隔を置いて測定した前後２つの磁気レベルの差を求め，
前記求めた差と前記閾値とを比較することにより，前記第２の工程で測定した磁気レベルと前記閾値とを比較して，前記原稿中に金属繊維がすき込まれているか否かを判定することを特徴とする請求項１記載の特殊原稿判定方法。
【請求項３】
判定対象となる原稿中に金属繊維がすき込まれているか否かを判定し，金属繊維がすき込まれていると判定された場合に，前記原稿が金属繊維のすき込まれた紙幣・有価証券等の特殊原稿であると判定する特殊原稿判定装置において，
前記原稿から画像データの読み取り指示を受けた場合に，前記画像データの読み取りの前に前記原稿のプリスキャンを行うスキャナを備え，
前記スキャナは，
前記原稿を磁化する磁化手段と，
前記磁化された原稿を走査し，前記原稿の磁気レベルを測定する磁気測定手段と，
前記磁気測定手段で測定した磁気レベルと予め設定された閾値とを比較することにより，前記原稿中に金属繊維がすき込まれているか否かを判定する第１の判定手段と，
前記第１の判定手段の判定結果に基づいて，前記原稿が前記特殊原稿であるか否かを判定する第２の判定手段と，
前記磁化手段により磁化された原稿を消磁する消磁手段と，を一体構成して備えることを特徴とする特殊原稿判定装置。
【請求項４】
前記磁気測定手段が，前記原稿の磁気レベルを測定する際に，前記原稿を走査しつつ，前記原稿の磁気レベルを所定の間隔を置いて測定することにより，前記原稿の磁気レベルを測定し，
前記第１の判定手段が，前記磁気測定手段で測定した磁気レベルと前記閾値とを比較する際に，前記磁気測定手段で前記所定の間隔を置いて測定した前後２つの磁気レベルの差を求め，前記求めた差と前記閾値とを比較することにより，前記磁気測定手段で測定した磁気レベルと前記閾値とを比較して，前記原稿中に金属繊維がすき込まれているか否かを判定することを特徴とする請求項３記載の特殊原稿判定装置。
【発明の詳細な説明】
【０００１】
【発明の属する技術分野】
本発明は，原稿中にすき込まれた金属繊維を検出することにより，原稿が金属繊維のすき込まれた紙幣・有価証券等の特殊原稿（帳票）であるか否かを判定する特殊原稿判定方法および特殊原稿判定装置に関し，より詳細には，原稿の磁気レベルを測定することにより，原稿中にすき込まれた金属繊維を検出し，原稿が特殊原稿であるか否かを判定する特殊原稿判定方法およびその方法を実行するプログラムを格納した，コンピュータが読取可能な記憶媒体並びに特殊原稿判定装置に関する。
【０００２】
【従来の技術】
近年，画像処理技術・画像形成技術の向上によって，カラー複写機で複写したコピー紙幣と実際の紙幣とが容易に区別できないほど精巧に画像形成を行うことが可能になっている。このため，紙幣・有価証券等の複製が禁止されている特殊原稿を判定し，特殊原稿の場合に違法複写を禁止するようにした装置が開発されており，特殊原稿を判定する機能を搭載した複写機等の画像形成装置も提案されている。
【０００３】
上記特殊原稿として，それ自身が特殊原稿であることを示すために金属繊維がすき込まれたものがある。このような特殊原稿を通常の原稿から判別するには，特殊原稿中にすき込まれた金属繊維を検出すれば良い。そのため，金属繊維がすき込まれた特殊原稿を判定する機能を有した画像形成装置として，原稿に対してマイクロ波を照射し，照射したマイクロ波の透過波または反射波を検出して，検出信号を出力するマイクロ波センサと，マイクロ波センサから出力された検出信号を入力し，この検出信号を用いて，原稿中に金属繊維がすき込まれているか否かを判定する信号判定部と，を備えたものが提案されている。
【０００４】
上記画像形成装置においてマイクロ波センサは，一般に，撮像用のＣＣＤ等を備える画像読取ユニットに設けられ，原稿台に載置された原稿上を画像読取ユニットと共に往復運動し，その往路にて金属繊維を検出するためのマイクロ波の照射および反射波の検出を行う。そして，信号判定部が，マイクロ波センサから出力された反射波の検出信号を入力し，入力した検出信号のレベルと予め設定された閾値とを比較し，検出信号のレベルが閾値を超える場合は原稿中に金属繊維がすき込まれていると判定し，一方，検出信号のレベルが閾値を超えない場合は原稿中に金属繊維がすき込まれていないと判定する。その結果，原稿中に金属繊維がすき込まれていると判定された場合には，原稿が金属繊維のすき込まれた紙幣，有価証券等の特殊原稿であると判定される。
【０００５】
【発明が解決しようとする課題】
本発明は，上記従来の技術のようにマイクロ波を用いるのではなく，原稿を磁化し，原稿の磁気レベルを測定して，原稿中に金属繊維がすき込まれているか否か判定することにより，原稿が金属繊維のすき込まれた紙幣・有価証券等の特殊原稿であるか否かを判定可能にすることを目的とする。
【０００６】
【課題を解決するための手段】
上記目的を達成するため，請求項１の特殊原稿判定方法は，判定対象となる原稿中に金属繊維がすき込まれているか否かを判定し，金属繊維がすき込まれていると判定された場合に，前記原稿が金属繊維のすき込まれた紙幣・有価証券等の特殊原稿であると判定する特殊原稿判定方法において，前記原稿から画像データの読み取り指示を受けた場合に，前記画像データの読み取りの前に前記原稿のプリスキャンを行うプリスキャン工程を、含み，前記プリスキャン工程は，前記原稿を磁化する第１の工程と，前記磁化された原稿を走査し，前記原稿の磁気レベルを測定する第２の工程と，前記第２の工程で測定した磁気レベルと予め設定された閾値とを比較することにより，前記原稿中に金属繊維がすき込まれているか否かを判定する第３の工程と，前記第３の工程の判定結果に基づいて，前記原稿が前記特殊原稿であるか否かを判定する第４の工程と，前記第１の工程で磁化された原稿を消磁する第５の工程と，を含むものである。
【０００７】
また，請求項２の特殊原稿判定方法は，請求項１記載の特殊原稿判定方法において，前記第２の工程が，前記原稿の磁気レベルを測定する際に，前記原稿を走査しつつ，前記原稿の磁気レベルを所定の間隔を置いて測定することにより，前記原稿の磁気レベルを測定し，前記第３の工程が，前記第２の工程で測定した磁気レベルと前記閾値とを比較する際に，前記第２の工程で前記所定の間隔を置いて測定した前後２つの磁気レベルの差を求め，前記求めた差と前記閾値とを比較することにより，前記第２の工程で測定した磁気レベルと前記閾値とを比較して，前記原稿中に金属繊維がすき込まれているか否かを判定するものである。
【０００８】
また，請求項３の特殊原稿判定装置は，判定対象となる原稿中に金属繊維がすき込まれているか否かを判定し，金属繊維がすき込まれていると判定された場合に，前記原稿が金属繊維のすき込まれた紙幣・有価証券等の特殊原稿であると判定する特殊原稿判定装置において，前記原稿から画像データの読み取り指示を受けた場合に，前記画像データの読み取りの前に前記原稿のプリスキャンを行うスキャナを備え，前記スキャナは，前記原稿を磁化する磁化手段と，前記磁化された原稿を走査し，前記原稿の磁気レベルを測定する磁気測定手段と，前記磁気測定手段で測定した磁気レベルと予め設定された閾値とを比較することにより，前記原稿中に金属繊維がすき込まれているか否かを判定する第１の判定手段と，前記第１の判定手段の判定結果に基づいて，前記原稿が前記特殊原稿であるか否かを判定する第２の判定手段と，前記磁化手段により磁化された原稿を消磁する消磁手段と，を一体構成して備えるものである。
【０００９】
また，請求項４の特殊原稿判定装置は，請求項３記載の特殊原稿判定装置において，前記磁気測定手段が，前記原稿の磁気レベルを測定する際に，前記原稿を走査しつつ，前記原稿の磁気レベルを所定の間隔を置いて測定することにより，前記原稿の磁気レベルを測定し，前記第１の判定手段が，前記磁気測定手段で測定した磁気レベルと前記閾値とを比較する際に，前記磁気測定手段で前記所定の間隔を置いて測定した前後２つの磁気レベルの差を求め，前記求めた差と前記閾値とを比較することにより，前記磁気測定手段で測定した磁気レベルと前記閾値とを比較して，前記原稿中に金属繊維がすき込まれているか否かを判定するものである。
【００１１】
【発明の実施の形態】
以下，本発明に係る特殊原稿判定方法およびその方法を実行するプログラムを格納した，コンピュータが読取可能な記憶媒体並びに特殊原稿判定装置について，〔実施の形態１〕，〔実施の形態２〕の順で，図面を参照して詳細に説明する。
【００１２】
〔実施の形態１〕
図１は，実施の形態１の特殊原稿判定装置が適用された画像読取装置の要部構成を示す構成図である。図１に示す画像読取装置は，原稿が載置されるコンタクトガラス２０１と，原稿をコンタクトガラス２０１上に押圧する圧板２０２と，露光照明ユニット（ハロゲンランプ）２０３，第１ミラー２０４，原稿を磁化する原稿磁化部７１（請求項３記載の磁化手段に該当する），磁化された原稿の磁気レベルを測定する磁気センサ部７２（請求項３記載の磁気測定手段に該当する）および磁化された原稿を消磁する原稿消磁部７６（請求項３記載の消磁手段に該当する）で一体構成された第１スキャナ２０５と，第２ミラー２０６および第３ミラー２０７で一体構成された第２スキャナ２０８と，フィルタ２０９，レンズ２１０およびＣＣＤ２１２で一体構成された画像読取部２１３と，ＣＣＤ２１２から出力された画像信号を入力し，所定の信号処理を施すための各種回路等が実装されたスキャナ基板２１４とが，筐体内に収容されて構成されている。なお，図１において，２１５はシェーディング板（白基準板）を示し，２１６および２１７は冷却ファンを示し，２１８は結露防止ヒータを示し，２１９は原稿サイズ検知器を示し，２２０はバーコード板を示している。
【００１３】
図２は，実施の形態１において，画像読取装置に適用された特殊原稿判定装置のブロック構成図である。図２に示す特殊原稿判定装置は，上述したように，画像読取装置の第１スキャナ２０５に設けられた原稿磁化部７１，磁気センサ部７２および原稿消磁部７６と，磁気センサ部７２で測定した原稿の磁気レベルを記憶する磁気レベルメモリ７３と，磁気レベルメモリ７３に記憶された磁気レベルを読み出すと共に，判定閾値保持メモリ７４に予め記憶された閾値を読み出し，原稿の磁気レベルと閾値とを比較し，原稿の磁気レベルが閾値を超えるか否かを判定することにより，原稿中に金属繊維がすき込まれているか否かを判定する特殊原稿判定部７５（請求項３記載の第１の判定手段に該当する）と，上記各部を制御すると共に，特殊原稿判定部７５の判定結果に基づいて，原稿が金属繊維のすき込まれた紙幣・有価証券等の特殊原稿であるか否かを判定する制御部７７（請求項３記載の第２の判定手段に該当する）と，を備えている。
【００１４】
次に，実施の形態１の特殊原稿判定装置が適用された画像読取装置の動作を説明する。図３は，実施の形態１の特殊原稿判定装置が適用された画像読取装置の動作を示すフローチャートである。
【００１５】
実施の形態１の特殊原稿判定装置が適用された画像読取装置において，原稿が特殊原稿であるか否かの判定処理は，原稿から画像データを読み取る場合に実行されるプリスキャンの際に同時に実行されるものとする。まず，原稿がコンタクトガラス２０１上に載置されて圧板２０２で覆われる。そして，原稿から画像データを読み取ることが指示されると，第１スキャナ２０５が原稿上を移動してプリスキャンが開始される。
【００１６】
プリスキャンの往路で，原稿磁化部７１が原稿を磁化させる（Ｓ３０１：請求項１記載の第１の工程に該当する）。そして，プリスキャンの復路で，磁気センサ部７２が磁化された原稿の磁気レベルを測定し，測定した磁気レベルを磁気レベルメモリ７３に記憶する（Ｓ３０２：請求項１記載の第２の工程に該当する）。なお，ここではプリスキャンの復路で原稿の磁気レベルを測定することにしたが，もう一度第１スキャナ２０５を移動させ，その往路で原稿の磁気レベルを測定することにしても良い。
【００１７】
続いて，特殊原稿判定部７５は，磁気レベルメモリ７３に記憶された磁気レベルを読み出すと共に，判定閾値保持メモリ７４から閾値を読み出し，測定された磁気レベルが閾値を超えるか否かを判定する（Ｓ３０３：請求項１記載の第３の工程に該当する）。すなわち，測定した磁気レベルが閾値を超える場合は，原稿中に金属繊維がすき込まれていることになる。
【００１８】
ステップＳ３０３において，測定した磁気レベルが閾値を超えると判定された場合，制御部７７は，原稿が金属繊維のすき込まれた紙幣・有価証券等の特殊原稿であると判定し（Ｓ３０４：請求項１記載の第４の工程に該当する），処理を終了する。そして，制御部２７は，第１スキャナ２０５を移動させ，原稿消磁部７６に原稿を消磁させる（請求項１の第５の工程に該当する）。
【００１９】
一方，ステップＳ３０３において，測定した磁気レベルが閾値を超えないと判定された場合，さらに，磁気センサ部７２が原稿の磁気レベルを測定し，測定した磁気レベルを磁気レベルメモリ７３に記憶する（Ｓ３０２）。
【００２０】
続いて，特殊原稿判定部７５は，磁気レベルメモリ７３に記憶した磁気レベルを読み出すと共に，判定閾値保持メモリ７４から閾値を読み出し，測定した磁気レベルが閾値を超えるか否かを判定する（Ｓ３０３）。
【００２１】
このように，ステップＳ３０３において，測定した磁気レベルが閾値を超えないと判定された場合は，上述したステップＳ３０２およびＳ３０３の処理が繰り返し実行される。そして，この処理は，測定した磁気レベルが閾値を超えると判定され，原稿が特殊原稿であると判定された場合またはプリスキャンが終了し，原稿が特殊原稿であると判定されなかった場合に終了する。すなわち，プリスキャンが終了した時点で，原稿中にすき込まれた金属繊維を検出することができなかった場合は，結果的に原稿が特殊原稿ではないと判定されることになる。そして，いずれの場合においても，制御部７７は，第１スキャナ２０５を移動させ，原稿消磁部７６に原稿を消磁させる（請求項１の第５の工程に該当する）。
【００２２】
なお，原稿が特殊原稿であると判定された場合，特殊原稿用の処理が実行される。例えば，原稿からの画像データの読み取りが中止されたり，原稿から画像データが読み取られた後，読み取られた画像データに対し，通常と異なる特殊な画像処理が施され，原稿の画像と異なる画像が形成される等の処理が行われることにより，紙幣，有価証券等の特殊原稿の違法複写が防止される。また，原稿が特殊原稿でないと判定された場合，原稿から画像データを読み取る処理が開始される。
【００２３】
上述したように，実施の形態１の特殊原稿判定装置によれば，原稿の磁気レベルを測定し，測定した磁気レベルと予め設定した閾値とを比較することにより，原稿中に金属繊維がすき込まれているか否かを判定し，その判定結果に基づいて，原稿が金属繊維のすき込まれた紙幣・有価証券等の特殊原稿であるか否かを判定することにしたため，金属繊維がすき込まれた特殊原稿と一般の原稿とを簡便にかつ安価に識別することができる。
【００２４】
なお，上述した実施の形態１の特殊原稿判定装置においては，測定した磁気レベルを用いて，原稿中に金属繊維がすき込まれているか否かの判定を特殊原稿判定部７５が行い，特殊原稿判定部７５の判定結果に基づいて，原稿が特殊原稿であるか否かの判定を制御部７７が行うことにしたが，この判定処理を全て特殊原稿判定部７５が行うことにしても良い。
【００２５】
また，図３のフローチャートを用いて，実施の形態１の特殊原稿判定装置が適用された画像読取装置の動作を説明したが，図３に示す動作に限定するものではなく，あくまで原稿の磁気レベルを測定し，測定した磁気レベルを用いて原稿が特殊原稿であるか否かを判定することができれば良い。
【００２６】
〔実施の形態２〕
金属繊維がすき込まれた紙幣・有価証券等の特殊原稿には，特殊原稿中のある領域には金属繊維がすき込まれており，ある領域には金属繊維がすき込まれていないというものがある。実施の形態２の特殊原稿判定装置が適用された画像読取装置は，特殊原稿が金属繊維のすき込まれている領域と金属繊維のすき込まれていない領域とを有することを利用して，原稿が特殊原稿であるか否かを判定するというものである。なお，実施の形態２の特殊原稿判定装置が適用された画像読取装置は，図１に示す実施の形態１の特殊原稿判定装置が適用された画像読取装置の構成と同一であるため，ここではその説明を省略する。
【００２７】
図４は，実施の形態２において，画像形成装置に適用された特殊原稿判定装置のブロック構成図である。図４に示す特殊原稿判定装置は，画像読取装置の第１スキャナ２０５に設けられ，原稿を磁化する原稿磁化部７１と，画像読取装置の第１スキャナ２０５に設けられ，磁化された原稿の磁気レベルを所定の間隔で測定する磁気センサ部７２と，磁気センサ部７２で測定した原稿の磁気レベルを記憶する第１および第２の磁気レベルメモリ７８，７９を有する磁気レベルメモリ７３と，第１および第２の磁気レベルメモリ７８，７９に記憶された２つの磁気レベルを読み出してそれらの差を求め，判定閾値保持メモリ７４に予め記憶された閾値を読み出し，求めた差と閾値とを比較し，原稿の磁気レベルが閾値を超えるか否かを判定することにより，原稿中に金属繊維がすき込まれているか否かを判定する特殊原稿判定部７５と，上記各部を制御すると共に，特殊原稿判定部７５の判定結果に基づいて，原稿が金属繊維のすき込まれた紙幣・有価証券等の特殊原稿であるか否かを判定する制御部７７と，を備えている。
【００２８】
次に，実施の形態２の特殊原稿判定装置が適用された画像読取装置の動作を説明する。図５は，実施の形態２の特殊原稿判定装置が適用された画像読取装置の動作を示すフローチャートである。
【００２９】
実施の形態２の特殊原稿判定装置が適用された画像読取装置において，原稿が特殊原稿であるか否かの判定処理は，原稿から画像データを読み取る場合に実行されるプリスキャンの際に同時に実行されるものとする。まず，原稿がコンタクトガラス２０１上に載置されて圧板２０２で覆われる。原稿から画像データを読み取ることが指示されると，第１スキャナ２０５が原稿上を移動してプリスキャンが開始される。
【００３０】
そして，プリスキャンの往路で，原稿磁化部７１が原稿を磁化させる。続いて，プリスキャンの復路で，磁気センサ部７２が磁化された原稿の磁気レベルを測定し，測定した磁気レベルを第１の磁気レベルメモリ７８に記憶する（Ｓ５０２：請求項２記載の第２の工程に該当する）。なお，ここではプリスキャンの復路で原稿の磁気レベルを測定することにしたが，もう一度第１スキャナ２０５を移動させ，その往路で原稿の磁気レベルを測定することにしても良い。
【００３１】
その後，第１の磁気レベルメモリ７８の記憶された磁気レベルは，第２の磁気レベルメモリ７９に移される（Ｓ５０２）。
【００３２】
続いて，制御部７７は，予め定めた一定の時間が経過したか否かを判定する（Ｓ５０３）。一定時間経過していないと判定した場合，制御部７７は一定時間経過するまで待つ。一方，一定時間経過したと判定した場合，制御部７７は，磁気センサ部７２に原稿の磁気レベルを測定させる。すなわち，磁気センサ部７２は，原稿の磁気レベルを測定し，測定した磁気レベルを第１の磁気レベルメモリ７８に記憶させる（Ｓ５０４：請求項２記載の第２の工程に該当する）。
【００３３】
続いて，特殊原稿判定部７５は，第１の磁気レベルメモリ７８および第２の磁気レベルメモリ７９に記憶された磁気レベルをそれぞれ読み出し，２つの磁気レベルの差を求める（Ｓ５０５：請求項２記載の第３の工程に該当する）。
【００３４】
そして，特殊原稿判定部７５は，判定閾値保持メモリ７４から閾値を読み出し，求めた差と閾値とを比較し，求めた差が閾値を超えるか否かを判定する（Ｓ５０６：請求項２記載の第３の工程に該当する）。
【００３５】
ステップＳ５０６において，求めた差が閾値を超えると判定された場合，制御部７７は，原稿が金属繊維のすき込まれた紙幣・有価証券等の特殊原稿であると判定し（Ｓ５０７），処理を終了する。例えば，ステップＳ５０１で測定した原稿の領域に金属繊維がすき込まれている場合は磁気レベルが高く，ステップＳ５０４で測定した原稿の領域に金属繊維がすき込まれていない場合は磁気レベルが低くなるため，求めた差は閾値を超えることになる。したがって，このような場合は，ある領域に金属繊維がすき込まれており，ある領域には金属繊維がすき込まれていない特殊原稿であると判定される。一方，ステップＳ５０１およびステップＳ５０４で測定した磁気レベルが両方共高い場合または低い場合は，求めた差が小さいため，閾値を超えないことになる。したがって，このような場合は，原稿中に金属繊維がすき込まれていないと判定し，以下の処理を行う。
【００３６】
すなわち，ステップＳ５０６において，求めた差が閾値を超えないと判定された場合，再度ステップＳ５０２に戻り，上述したステップＳ５０２〜ステップＳ５０６の処理が繰り返して実行される。そして，ステップＳ５０６において求めた差が閾値を超えると判定され，その結果，ステップＳ５０７において原稿が特殊原稿であると判定された場合に，図５に示す処理を終了する。一方，プリスキャンが終了するまでの間に，原稿が特殊原稿であると判定されなかった場合には，結果的に原稿が特殊原稿ではないと判定されることになる。
【００３７】
なお，プリスキャンが終了した後，制御部７７は，第１スキャナ２０５を再度移動させ，原稿消磁部７６に原稿を消磁させる。
【００３８】
そして，原稿が特殊原稿であると判定された場合，特殊原稿用の処理が実行される。例えば，原稿からの画像データの読み取りが中止されたり，原稿から画像データが読み取られた後，読み取られた画像データに対し，通常と異なる特殊な画像処理が施され，原稿の画像と異なる画像を形成させる等の処理が行われることにより，紙幣，有価証券等の特殊原稿の違法複写が防止される。また，原稿が特殊原稿でないと判定された場合，原稿から画像データを読み取る処理が開始される。
【００３９】
上述したように，実施の形態２の特殊原稿判定装置によれば，原稿の異なる領域で測定した磁気レベルの差を求め，求めた差と閾値とを比較することにより，原稿中に金属繊維がすき込まれているか否かを判定するため，金属繊維のすき込まれている領域と金属繊維のすき込まれていない領域とを有する特殊原稿を精度良く判定することができる。
【００４０】
なお，上述した実施の形態２の特殊原稿判定装置においては，測定した磁気レベルを用いて，原稿中に金属繊維がすき込まれているか否かの判定を特殊原稿判定部７５が行い，特殊原稿判定部７５の判定結果に基づいて，原稿が特殊原稿であるか否かの判定を制御部７７が行うことにしたが，この判定処理を全て特殊原稿判定部７５が行うことにしても良い。
【００４１】
また，図５のフローチャートを用いて，実施の形態２の特殊原稿判定装置が適用された画像読取装置の動作を説明したが，図５に示す動作に限定するものではなく，あくまで金属繊維がすき込まれているであろうとされる領域と金属繊維がすき込まれていないであろうとされる領域で測定した磁気レベルの差を用いて，原稿が特殊原稿であるか否かを判定することができれば良い。
【００４２】
なお，以上の実施の形態１および２において説明した特殊原稿判定方法をプログラム化し，これをフロッピーディスク，ハードディスク，ＣＤ−ＲＯＭ，ＤＶＤ等のコンピュータが読取可能な記憶媒体に記憶することができる。
【００４３】
【発明の効果】
以上説明したように，本発明に係る特殊原稿判定方法（請求項１）によれば，前記原稿から画像データの読み取り指示を受けた場合に，前記画像データの読み取りの前に前記原稿のプリスキャンを行うプリスキャン工程を，含み，前記プリスキャン工程は，原稿を磁化する第１の工程と，磁化された原稿を走査し，原稿の磁気レベルを測定する第２の工程と，第２の工程で測定した磁気レベルと予め設定された閾値とを比較することにより，原稿中に金属繊維がすき込まれているか否かを判定する第３の工程と，第３の工程の判定結果に基づいて，原稿が特殊原稿であるか否かを判定する第４の工程と，第１の工程で磁化された原稿を消磁する第５の工程と，を含むため，一般の原稿と金属繊維がすき込まれた紙幣・有価証券等の特殊原稿とを簡便にかつ安価に判別することができる。
【００４４】
また，本発明に係る特殊原稿判定方法（請求項２）によれば，請求項１記載の特殊原稿判定方法において，第２の工程が，原稿の磁気レベルを測定する際に，原稿を走査しつつ，原稿の磁気レベルを所定の間隔を置いて測定することにより，原稿の磁気レベルを測定し，第３の工程が，第２の工程で測定した磁気レベルと閾値とを比較する際に，第２の工程で所定の間隔を置いて測定した前後２つの磁気レベルの差を求め，求めた差と閾値とを比較することにより，第２の工程で測定した磁気レベルと閾値とを比較して，原稿中に金属繊維がすき込まれているか否かを判定するため，金属繊維のすき込まれている領域と金属繊維のすき込まれていない領域とを有する特殊原稿を精度良く判定することができる。
【００４５】
また，本発明に係る特殊原稿判定装置（請求項３）によれば，前記原稿から画像データの読み取り指示を受けた場合に，前記画像データの読み取りの前に前記原稿のプリスキャンを行うスキャナを備え，前記スキャナは，前記原稿を磁化する磁化手段と，前記磁化された原稿を走査し，前記原稿の磁気レベルを測定する磁気測定手段と，前記磁気測定手段で測定した磁気レベルと予め設定された閾値とを比較することにより，前記原稿中に金属繊維がすき込まれているか否かを判定する第１の判定手段と，前記第１の判定手段の判定結果に基づいて，前記原稿が前記特殊原稿であるか否かを判定する第２の判定手段と，前記磁化手段により磁化された原稿を消磁する消磁手段と，を一体構成して備えるため，一般の原稿と金属繊維がすき込まれた紙幣・有価証券等の特殊原稿とを簡便にかつ安価に判別することができる。
【００４６】
また，本発明に係る特殊原稿判定装置（請求項４）によれば，請求項３記載の特殊原稿判定装置において，磁気測定手段が，原稿の磁気レベルを測定する際に，原稿を走査しつつ，原稿の磁気レベルを所定の間隔を置いて測定することにより，原稿の磁気レベルを測定し，第１の判定手段が，磁気測定手段で測定した磁気レベルと閾値とを比較する際に，磁気測定手段で所定の間隔を置いて測定した前後２つの磁気レベルの差を求め，求めた差と閾値とを比較することにより，磁気測定手段で測定した磁気レベルと閾値とを比較して，原稿中に金属繊維がすき込まれているか否かを判定するため，金属繊維のすき込まれている領域と金属繊維のすき込まれていない領域とを有する特殊原稿を精度良く判定することができる。
【図面の簡単な説明】
【図１】実施の形態１の特殊原稿判定装置が適用された画像読取装置の要部構成を示す構成図である。
【図２】実施の形態１において，画像読取装置に適用された特殊原稿判定装置のブロック構成図である。
【図３】実施の形態１の特殊原稿判定装置が適用された画像読取装置の動作を示すフローチャートである。
【図４】実施の形態２において，画像形成装置に適用された特殊原稿判定装置のブロック構成図である。
【図５】実施の形態２の特殊原稿判定装置が適用された画像読取装置の動作を示すフローチャートである。
【符号の説明】
７１      原稿磁化部
７２      磁気センサ部
７３      磁気レベルメモリ
７４      判定閾値保持メモリ
７５      特殊原稿判定部
７６      原稿消磁部
７７      制御部
７８      第１の磁気レベルメモリ
７９      第２の磁気レベルメモリ
２０５    第１スキャナ
【図１】
0003691606.tif 000002
【図２】
0003691606.tif 000003
【図３】
0003691606.tif 000004
【図４】
0003691606.tif 000005
【図５】
0003691606.tif 000006